(57)【要約】      （修正有）【課題】簡単な構成で、小型、軽量で携帯性に優れ、手袋の乾燥も効率よく行える手袋乾燥具を提供する。【解決手段】手袋の指に対応して設けた指対応片２と、この指対応片２の下側に設け、一方に係止鉤１２、他方に受け穴１３を有するとともに、上部を一体化させた２個の対向部１０，１１を対向させて設けた係合部３および、この係合部３の下部に乾燥用保持具に吊り下げるための掛け部４を設けてなり、手袋に挿入するときに、係合部３の上部を一体化させた部位を中心にして湾曲させ、係止鉤１２を受け穴１３に係合させることで、傘型の空間部を形成させる。全体を可撓性のある合成樹脂から成型する。【選択図】図１
0003172990.tif 000002
【実用新案登録請求の範囲】
【請求項１】
手袋の指に対応して設けた指対応片と、この指対応片の下側に設け、一方に係止鉤、他方に受け穴を有するとともに、上部を一体化させた２個の対向部を対向させて設けた係合部および、この係合部の下部に乾燥用保持具に吊り下げるための掛け部を設けてなり、手袋に挿入するときに、係合部の上部を一体化させた部位を中心にして湾曲させ、係止鉤を受け穴に係合させることで、傘型の空間部を形成させることを特徴とした、全体を可撓性のある合成樹脂から成型した手袋乾燥具
【請求項２】
指対応片の先端部位を細長形状とし、全周縁の上下面に他の部位よりも厚い突条部を設けるとともに、中央に指対応片の長さ方向に透孔を形成し、各指対応片の根元に半円状の切欠き部を設け、係合部は両対向部の上部を一体化させた部位に環状の切欠き部を設け、係止鉤を直角の係止部を有する形状とし、受け穴を縦穴とするとともに、掛け部に連なる対向部とこの掛け部の環状縁上下面とに他の部位より厚い突条部を設けた請求項１の手袋乾燥具
【請求項３】
掛け部は吊り下げる乾燥用保持具に係合させる隙間を一部に形成し、吊り下げる部位に他よりも厚い突条部を上下面に設けた請求項２の手袋乾燥具
【考案の詳細な説明】
【技術分野】
【０００１】
本考案は、プレー中に雨や汗で濡れたゴルフ用手袋や雪で湿ったスキー用手袋または作業中に汗や水などで濡れた各種の作業用手袋などを、簡単かつ迅速に乾燥させることができる手袋乾燥具に係るものである。
【背景技術】
【０００２】
雨や汗または作業中に触れる水などで濡れた手袋を乾燥させるために、これまで採られた方法や乾燥装置、乾燥具は、先ず手袋１００の指の部分の先端部をクリップ１０２で挟んで吊るす原始的な方法（特許文献１の図３参照）のほかに、手袋の内側に温風を吹き込んで乾燥させる乾燥装置（特許文献２）、また手袋６の内側に乾燥材３を装着した手袋形状の乾燥具を差し込んで乾燥させるもの（特許文献３参照）、さらに簡易形態のものとして針金で作成した手袋形状の手形部１を手袋内側に差し込んで外気により乾燥させることを企図した手袋干し具（特許文献４参照）などが知られている。
【０００３】
しかしこれらの背景技術は種々の問題を含んでおり、手袋の乾燥具として解決すべき課題を有するものである。
すなわち、特許文献１で示した吊り下げ自然乾燥方式は、手袋１００の指の内部の乾燥が進みにくいことや、クリップ１０２で指を挟んで吊るす方式のためこの指の部分を傷めやすい欠点を有している。特許文献２で示した乾燥装置は手袋の内側に温風を吹き込む構成であり乾燥の効果は見るべきものがあるが、「装置」の名のとおり実施例でも縦１．５ｍ、横１．１ｍ、幅０．３ｍの大きさを標準に考えているものであって総体が大きく、ゴルフ場のクラブハウスなどに設置される装置を提案するものである。したがって例えばゴルフ場で携帯して必要に応じて乾燥できるような乾燥具は想定していない。
【０００４】
次に携帯可能な考案として特許文献３で示す乾燥具が知られている。この乾燥具は人手骨の形に類似した骨体２の外側を人手に類似した通気性の皮体１との間に乾燥材３を充填した乾燥具を手袋（スキー用手袋）に挿入して、皮体１を介して乾燥材３の働きで手袋を乾燥させるものである。そのためこの先行技術では乾燥材を必須としているため乾燥具自体が嵩張り、重量も増すことから携帯性に大きな難点を有している。
【０００５】
次に軽量化を考慮した干し具（乾燥具）として特許文献４が知られている。手袋中に挿入する手形部１が針金状の素材１本にて平面に手を型取りするものであるため強度に問題を有し、手袋に挿入する際に簡単かつ迅速な作業が損なわれる虞を有している。しかもこの干し具（乾燥具）は手形部１の基部に配したストッパー５付きの支持棒４を貫通させたスライド３と、このスライド３の他端が固着するクリップ６を必須とするもので、構成が複雑なものとなっていて簡単、シンプルな構成を求める観点からは問題のあるものであった。
【先行技術文献】
【特許文献】
【０００６】
【特許文献１】実開平６−６２９９８号公報
【特許文献２】実開平７−６６７８号公報
【特許文献３】実開平６−２２８８８号公報
【特許文献４】特開２００１−１９０８９９号公報
【考案の概要】
【考案が解決しようとする課題】
【０００７】
以上のことから分かるように、これまで開示されてきた手袋の乾燥具は軽量、携帯性、構成の簡易さなどの点で問題を有し、実用性に乏しいものであった。
【課題を解決するための手段】
【０００８】
そこで本考案は上記した課題を解決した手袋乾燥具を提供するものである。
先ず第１に本考案手袋乾燥具は、手袋の指に対応して設けた指対応片と、この指対応片の下側に設け、一方に係止鉤、他方に受け穴を有するとともに、上部を一体化させた２個の対向部を対向させて設けた係合部および、この係合部の下部に乾燥用保持具に吊り下げるための掛け部を設けてなり、手袋に挿入するときに、係合部の上部を一体化させた部位を中心にして湾曲させ、係止鉤を受け穴に係合させることで、傘型の空間部を形成させることを特徴とした、全体を可撓性のある合成樹脂から成型した手袋乾燥具である。
【０００９】
この考案は、指対応片と湾曲形成可能の係合部および吊り下げ用の掛け部という簡単な構成からなり、しかも１枚の合成樹脂材から成型されるもので、手袋内挿入方式であることから小型、軽量で携帯性に優れたものである。また傘型の空間部を係合部を中心に形成できるようにしたので、手袋に挿入した後の乾燥を効率よく行えるようにしたものである。
【００１０】
次に本考案は上記の考案に、指対応片の先端部位を細長形状とし、全周縁の上下面に他の部位よりも厚い突条部を設けるとともに、中央に指対応片の長さ方向に透孔を形成し、各指対応片の根元に半円状の切欠き部を設け、係合部は両対向部の上部を一体化させた部位に環状の切欠き部を設け、係止鉤を直角の係止部を有する形状とし、受け穴を縦穴とするとともに、掛け部に連なる対向部と掛け部の環状縁上下面とに、他の部位より厚い突条部を設けた構成を付加させた手袋乾燥具である。
【００１１】
この考案は、乾燥具を手袋に挿入するときに抵抗を少なくして、もしくはその抵抗を排して挿入作業を支障なく行え、係合部の係合も係止鉤や受け穴の形状から堅固な係合を達成し、また指対応片の透孔や突条部および係合部に設けた環状の切欠き部などの構成から、手袋の指はもとより手袋全体の乾燥も行えるようにしたものである。
【００１２】
さらに本考案は上記２個の考案に、掛け部は、吊り下げる乾燥用保持具に係合させる隙間を一部に形成し、吊り下げる部位に他よりも厚い突条部を上下面に設けた構成を付加した手袋乾燥具である。
【００１３】
湾曲性のある隙間を利用して各種の保持具に吊り下げが可能となり、突条部を設けたことで手袋への挿入時に挿入作業の補強効果となるとともに吊り下げ時の支え力を倍加させることができる。
【考案の効果】
【００１４】
以上のように本考案は、全体が小形で１枚の合成樹脂により成型されるため軽量で携帯に便利である。また簡単な構成ながら係合部の湾曲作業を経て特異な傘型の空間部を形成させることで挿入する手袋の指はもとより手袋全体を効率よく乾燥できるものである。
【００１５】
またこの挿入作業も指対応片の構成や各部に突条部を設けることなどから挿入時に生ずる抵抗を排し支障なく行えるようにした。
【００１６】
さらに本考案は簡単な構成からなるため、表面、裏面ともに同じ操作で係合部の係合、傘型の空間部創生も可能となる極めて実用性の高い考案である。
【図面の簡単な説明】
【００１７】
図面は本考案手袋乾燥具の実施形態を示すもので、
【図１】左手側手袋に使用するときの基本状態を示す正面図と、使用時に際して係合部分を係合した時の正面図を示し、矢印は基本状態から使用時への移行を示す
【図２】図１のA−A線断面図
【図３】図１のB―B線における断面の端面図
【図４】（A）は使用時に係合部分を係合させたのち図面中の矢印方向に進ませて手袋に挿入するときの状態を示す正面図、（B）は手袋に挿入させたときの正面図、（C）は手袋への挿入後に手袋に固定させたときの状態を示す正面図。
【図５】手袋を保持体に吊り下げて乾燥させるときの状態を示すもので、（A）はリング状の保持体に吊り下げたときの斜視図、（B）は棒状の保持体に吊り下げたときの斜視図、（C）はズボンのベルト固定に吊り下げたときの斜視図
【考案を実施するための形態】
【００１８】
以下本考案をゴルフ用手袋の乾燥具１に実施した実施形態を示す。
乾燥具１は軟質の合成樹脂を射出成形し全体として可撓性、湾曲性能を有している１枚の平板からなるもので、大きさはゴルフ用手袋に収納するのに適した大きさで、厚さは軟質合成樹脂材に可撓性、湾曲性を持たせられる厚さで作成するが、その表裏面の一部の縁辺に補強のため僅かの厚さの突条部を形成したものである。
【００１９】
図１は右利き用の人が使用する左手側手袋１９を乾燥させるときに使用する乾燥具１を示し、使用する前の基本状態と、乾燥具１使用時に係合部３を係合させたときの状態を示したものである。図１では基本状態（上側に図示）から使用時（手袋１９に挿入する段階を示し、下側に図示）への移行を矢印で示している。
【００２０】
乾燥具１は、手袋１９の各指に対応した指対応片２と、この指対応片２の下方に左右相対向させた雌雄の対向部１０，１１を有するとともに、この乾燥具１使用時に両対向部１０，１１をその上部で一体化して繋ぐ中間部位を湾曲させることで、これら雌雄の対向部１０，１１を係合させて、乾燥具１に傘型形状の空間部５を形成させる係合部３と、この係合部３の雌対向部１１下方に設け乾燥具１を乾燥用の保持具２１に吊り下げるための掛け部４とから成る。これら指対向片２、係合部３、掛け部４は一体として形成される。
【００２１】
親指側、人差指側の指対応片２下方に位置する雄対向部１０は短く、薬指側、小指側の指対応片２下方に位置する雌対向部１１は長く伸び、その下部に掛け部４を設けるが、雄対向部１０の先端部は雌対向部１１の中程に向けて曲がりこみ、これに対向している。
【００２２】
指対応片２は人手と同じく、手袋１９の人差指に対応する指対応片２から小指に対応する指対応片２までほぼ同一方向に向けて設けるが、親指に対応する指対応片２は前記の指対応片２とは異なり外方向に向けて設ける。
【００２３】
そして各指対応片２は、その基本となる厚さを指の力で湾曲することが可能な厚さにし、表裏面ともにその全周の縁辺には基本の厚さの約半分の厚さの突条部６を形成する。この基本となる厚さ部分の中央には根元から先端に向けて透孔７を設け、そしてその先端部分は先が細くなるような形状８とする。したがって、各指対応片２は基本となる厚さ部分の中央に透孔７を設け、周縁全周に突条部６を表裏面に形成し、かつ先端部を先細の形状８としたものである。また各指対応片２の根元の間にほぼ半円状の切欠き部９を設ける。
【００２４】
突条部６は、図１では左手側手袋用として使用する面（例えば表面）のみを示しているため、別の面（右手側手袋用として使用する裏面）の突条部６は図１では示されていない。
しかし、この突条部６は表面にも裏面にも同じ位置に形成される。
【００２５】
図２で図１のAーA線断面図である指対応片２を横方向の断面を示すが、表面にも裏面にも同じ位置に、同じ幅、同じ高さの突条部６が設けられている。乾燥具１が手袋１９に挿入されたとき（指の箇所にも指対応片２が挿入されているが）指対応片２の両端上下に突出している突条部６が手袋１９の指内で立設し、手袋１９の指内で、空気の流通路を確保する。指対応片２には透孔７もあけられていることから、この透孔７を通しての空気の流通もあって手袋１９の指の乾燥が効率よく行われる。
【００２６】
また突条部６は指対応片２の他にも、後記する雌対応片１１の掛け部４近くの縁辺や、掛け部４の環状の内側および隙間２１に表裏両面ともに同じ形状（同じ幅、高さ）で形成する。
【００２７】
この突条部６、透孔７、先端先細形状８、半円状切欠き部９の機能を以下に説明する。
突条部６は、乾燥具１を手袋１９に挿入する際に隣接する指対応片２相互が重なり合うことを防止し、しかも指対応片２の外周に強度を付与することから、この突条部６が強度付与の補強材としての機能を発揮しこの挿入作業を支障なく行わせることができる。
【００２８】
しかも中央に設けた透孔７が指挿入時に受ける横方向からの押圧を吸収し、また各指対応片２の先細形状８とあいまって手袋１９への挿入がより円滑に行われる。また乾燥具１を手袋１９内に挿入した後の乾燥作業状態に入ったときに、透孔７を通して空気が流通し特に手袋１９の指部分の乾燥を早めることができる。
【００２９】
各指対応片２根元の半円状切欠き部９については、乾燥具１を手袋１９に挿入したあと、特に手袋１９使用時に汗や汚れが付着しやすい指股の部分の乾燥をさせるのに適している。すなわちこの部分は乾燥作業時に空気が流れにくいところであることから、この切欠き部９を利用して空気の流通を意図している。
【００３０】
係合部３は指対向片２の下部に一体に設けられるもので、環状の切欠き部１５を介して相対抗する係止鉤１２を有する雄対向部１０とこの係止鉤１２が係合する受け穴１３を有する雌対向部１１とからなる。雄対向部１０は手袋１９の親指に対応する指対応片２の下方に設けるが、その先端部を雌対向部１１の中程の位置に向けこれに近接させて対向させている。
【００３１】
雄対向部１０の先端部分は雌対向部１１に対向した位置に設けられるが、係合時に受け穴１３に差し込む突出曲面部１４と受け穴１３に係合する直角形状の係止鉤１２とからなる。係合は雄対向部１０の突出曲面部１４を雌対向部１１の受け穴１３に差し通し、係止鉤１２の直角部分を受け穴１３の下部に係止することでなされる。そのため乾燥具１の基本状態（図１の上側に図示）では、突出曲面部１４は雌対向部１１側に突出面を対向して設けられており、係止鉤１２は直角形状部分が雌対向部分１１とは反対側に面している。
【００３２】
雌対向片部１１の受け穴１３は雄対向部１０側の近くに、縦に長い穴の形状として設ける。またこの受け穴１３を設ける位置と係止鉤１２の位置は、それらを設けた雌雄の対向部１０、１１が対向していることから離れており、両対向部１０、１１を係合させるときは突出曲面部１４を持って受け穴１３側に係止鉤１２を移動させなければならない、
【００３３】
またこの受け穴１３の大きさも突出曲面部１４が容易に差し込める大きさで、かつ受け穴１３の下部の位置も係止鉤１２の直角部より僅か上側に位置するように設ける。これら係止鉤１２と受け穴１３との左右方向の距離、上下方向の距離は、係止鉤１２を受け穴１３に係合させたときに、雄対向部１０が雌対向部１１に引っ張られて係合を保持し、係合部３の環状切欠き部１８を中心にして乾燥具１の下部に傘型空間部５を形成することに重要な関係がある。
【００３４】
このような係合部３は、図１中に矢印で示したように雄対向部１０を指で持ち雌対向部１１の裏側から回して、係止鉤１２を受け穴１３に挿入して係合させる。図１において上側の基本状態では係止鉤１２と受け穴１３とは横方向にも縦方向にも離れているため、環状の切欠き部１３を利用して両対向部１０，１１の上部一体化部位を湾曲させることで、突出曲面部１４を強制的に受け穴１３まで持ち上げて挿入し、図１の下側で示した使用時の図示したように係止鉤１２を受け穴１３に挿入し係合させた状態となる。
【００３５】
図１の下側の図面は係合部３の係合を完成させたときの状態を示すものである。
このときの係合部３の係止鉤１２と受け穴１３の関係は以下のとおりである。
突出曲面部１４は受け穴１３を通過しているが、係止鉤１２の直角形状部分が受け穴１３下部に強く押圧した状態となり、係止鉤１２と受け穴１３は完全堅固な係合状態となっている。
【００３６】
またこの係合部３の係合がなされたときには、雄対向部１０を強制的に雌対向部１１の裏側から引き上げながら係合させているため、環状の切欠き部１５を頂点とした大きな傘型の空間部５が形成される。
【００３７】
この傘型空間部５は、掛け部４から雌対向部１１、小指用、薬指用の指対応片２にかけて前記環状の切欠き部１５から下る斜面が形成されるとともに、親指用、人差指用から小指用の指対応片２にかけても同じく環状の切欠き部１５から下る斜面が形成されることから作成されるものである。
【００３８】
図３では図１の係合部３のBーB線における断面の端面図により傘型空間部５を示すが、環状切欠き部１５を中心にし雄対向部１０と雌対向部１１が傾斜した状態で設けられ、その下部に大きな空気の通り道となる傘型空間部５が形成される。傾斜した雌雄の対向部１０，１１の上側も、これを手袋１９内に挿入したときにはこの上面部も大きな空気流通路となる。
【００３９】
この傘型空間部５は手袋２２に乾燥具１を挿入したときには、手袋１９の下側部材の乾燥用に寄与するのみでなく、環状切欠き部１５を通して乾燥具１の上下の空気も流通するため手袋１９全面の乾燥もこれにより行われるものである。
【００４０】
また雌対向部１１の下側部分の掛け部４との間には前記指対応片２と同じ高さ、幅の突条部６を設ける。この突条部６は前記指対応片２の突条部６と同じく、乾燥具１を手袋に挿入するときの補強材の機能があり、乾燥具１の挿入作業を円滑に行わせるものである。
【００４１】
掛け部４は、手袋１９を乾燥させる目的でこの手袋１９内に挿入し固定した乾燥具１を保持体２１に吊るすためのものであるが、雌対向部１１の下部に隙間１８を間に設けた長片１６と短片１７とからなるものである。この長片１６および短片１７は概略環状に作成され、短片１７は雌対向部１１の最下部の一方の端から突出した形状で設けられ、長片１６は雌対向片１１の他方の最下部を環状に延長させた形状のものである。そして長片１６、短片１７の雌対向部１１との反対側に隙間１８が形成されている。
【００４２】
掛け部４の内側は環状であり、そこに前記した指対応片２や雌対向部１１に設けた同じ高さ、幅の突条部６を設ける。この掛け部４の突条部６は、雌対向部１１の突状部６に連続して、短片２０の周面（隙間１８も含む）から長片１６の内周面および隙間１８を経由してその外面の一部にまで亘るものである。
【００４３】
この掛け部４の突条部６は、手袋乾燥時に主に濡れた手袋１９の重量に耐えるため、特に運動途中のような乾燥具１に負荷が懸かる状態の中で乾燥を行わなくてはならない時などに、強度を向上させる目的で設けられる。また乾燥具１を手袋１９に挿入するときに、この突条部６が他の部位の突条部６と共同して乾燥具１の補強効果を高める働きをする。
【００４４】
またこの掛け部４に設けた隙間１８は、掛け部４の素材が可撓性（柔軟性）を有していることから、長片１６の隙間１８近辺を手指の力で簡単に曲げることができることを利用して、掛け部４を保持具２１に吊り下げることを容易にしている。
【００４５】
図１では左手側（右利き用）手袋２４の乾燥具１として使用する例を示したが、その乾燥具１を裏返しにすればそのまま右手側（左利き用）の手袋２４にも使用できる。乾燥具１の左右の向きが反対になるだけでそれ以外は両者に変わるところがない。
【００４６】
すなわち指対応片２の形状やその全周縁上下面に設けた突条部６、中間部位に作成した透孔７、および隣接する各指対応片２根元の半円状切欠き部９などは変わらず、係合部３の雌雄対向部１０，１１やその係止鉤１２、受け穴１３、および両対向部１０，１１の上部を一体化した部位に形成した環状切欠き部１５、雌対向部１１に設けた突条部６も同じ構成であり、掛け部４も隙間１８を一部に形成しその環状内側を中心に突条部６を設けていることも同じである。
【００４７】
したがって、乾燥具１を使用するときには係合部３を係合させ（係合時に雄対向部１０を上側に上げながら雌対向部１１の裏側に回して係止鉤１２を受け穴１３に係合させることも同様である）、傘型の空間部５を形成させた後手袋１９内に挿入させることも変わらない。
【００４８】
図４は係合部３を係合させた乾燥具１を手袋１９に挿入する過程を示す図（A)と、乾燥具１を手袋１９内に挿入したところを示す図（B)と、手袋１９に乾燥具１を挿入した後手袋１９の止め具２０で固定したときの図（C）を示す。
【００４９】
（A)では乾燥具１を開放した状態の手袋１９に挿入するところであり、矢印の向きに乾燥具１を挿入する。このとき指対応片２には突条部６が全周に設けられ先端も先細形状８であることと、係合部３に設けた突条部６、掛け部４の突条部６の強度補強もあり、手袋１９内に乾燥具１を容易に挿入できる。
【００５０】
その挿入後は（B）で示したように手袋１９内に乾燥具１が収納された状態となる（まだ手袋１９は止め具２０で閉めていない）。（C)では手袋１９の止め具２０例えば面ファスナーのような止め具２０を使用して乾燥具１を手袋１９内に固定する。
【００５１】
手袋１９に係合部３を係合させた乾燥具１を挿入させた時、乾燥具１の下部には傘型形状の空間部５が形成されており、手袋１９と乾燥具１との間には空気流通可能の大きな空間が形成されている。しかも乾燥具１には傘型空間部５の頂点部に環状の切欠き部１５があるため、乾燥具１の上下方向にも空気の流通が行え、手袋１９の上部、下部ともに乾燥が効率よく行える。
【００５２】
また手袋１９の指においても各指の内部に指対応片２が挿入されている。この指対応片２はその中央部分に透孔７が設けられ、またその両端面部には上下に突条部６が形成されていることから、透孔７を通した上下方向に空気の流れができ、しかも突条部６により指対応片２の、特に端部分の上下で手袋１９の指との間に空気流通のための通路形成が行われるため、指の乾燥も効率的に行われるものである。
【００５３】
図５は手袋１９内に挿入固定した乾燥具１を、手袋１９の乾燥のためにその掛け部４を使用して保持具２１に吊り下げた例を示す。  
【００５４】
（A)はリング状の保持具２１、（B）は棒状の保持具２１、（C）はゴルフズボンのベルト固定を保持具２１とした例であるが、いずれも掛け部４の隙間１８を一時的に湾曲させて広げ係合させたものである。
【００５５】
乾燥具１が軽量で携帯性に優れていることから、これらの例に限らずいろいろな保持具２１を実施できることは明らかである。
【００５６】
また手袋１９の乾燥も乾燥具１の構成（透孔７、突条部６を設けた指対応片２、指対応片２根元の半円状切欠き部９、係合部３の係合から作成された傘型形状の空間部５）から短時間で行うことができるものである。
【００５７】
本考案では軟質の合成樹脂を使用する。この樹脂としてポリエチレン樹脂が想定されるが可撓性があり湾曲可能のものであれば、他の合成樹脂でも実施可能である。
【００５８】
また乾燥する手袋１９もゴルフ用の手袋に限らず手袋１９の大きさに合わせて作成すれば良いので、スキー用の手袋、作業用手袋など各種の手袋１９の乾燥用として実施可能である。
【符号の説明】
【００５９】
１  乾燥具
２  指対応片
３  係合部
４  掛け部
５  傘型空間部
６  突条部
７  透孔
８  先端先細形状
９  半円状切欠き部
１０  雄対向部
１１  雌対向部
１２  係止鉤
１３  受け穴
１５  環状切欠き部
１８  隙間
１９  手袋
２１  保持具
【図１】
0003172990.tif 000003
【図２】
0003172990.tif 000004
【図３】
0003172990.tif 000005
【図４】
0003172990.tif 000006
【図５】
0003172990.tif 000007